(57)【要約】【課題】使用者にとって画像品質が良好な画像を選択し易いサムネイル一覧を出力することができる画像出力装置を提供すること。【解決手段】サムネイル一覧の各サムネイルには、補正した結果赤目状態でないことを示す「ＲＣ」マーク、赤目状態であることを示す「ＲＦ」マーク、補正した結果ピンぼけ手ぶれ等の画像全体の画像品質が良好であることを示す「ＺＣ」マーク、画像全体の画像品質が不良であることを示す「ＺＦ」マーク、人の顔がはみ出していることを示す「Ｏ」マークが付与される。よって、元画像のサイズを縮小したサムネイルであっても、ユーザは、このマークを手掛かりに、元画像の画像品質（画像全体の画像品質が良好か、赤目状態になっていないか、人の顔がはみ出していないか等）を簡単に把握することができる。換言すれば、サムネイル一覧から画像品質が良好な画像を簡単に選択することができる。【選択図】図８
2009246545.tif 000002
【特許請求の範囲】
【請求項１】
各画像に対応したサムネイルを一覧化したサムネイル一覧を出力する画像出力装置において、
前記各画像について、その画像品質が第１の基準を満たすか否かを判断する品質判断手段と、
その品質判断手段が前記第１の基準を満たさないと判断した場合に、その画像に対応するサムネイルに対し、品質不良である旨を示す不良マークを付与するマーク付与手段と、
そのマーク付与手段で前記不良マークが付与されたサムネイルを含むサムネイル一覧を出力する出力手段とを備えていることを特徴とする画像出力装置。
【請求項２】
前記品質判断手段が前記第１の基準を満たさないと判断した場合に、その画像を補正する補正手段と、
その補正手段で補正した画像について、その画像品質が第２の基準を満たすか否かを再判断する品質再判断手段とを備え、
前記マーク付与手段は、前記品質再判断手段が前記第２の基準を満たさないと判断した場合に、前記補正手段で補正された画像に対応するサムネイルに対し、前記不良マークを付与することを特徴とする請求項１に記載の画像出力装置。
【請求項３】
前記品質判断手段が前記第１の基準を満たさないと判断した場合に、その画像を補正する補正手段と、
その補正手段で補正した画像について、その画像品質が第２の基準を満たすか否かを再判断する品質再判断手段とを備え、
前記マーク付与手段は、前記品質再判断手段が前記第２の基準を満たすと判断した場合に、前記補正手段で補正された画像に対応するサムネイルに対し、補正済である旨を示す補正マークを付与し、
前記出力手段は、そのマーク付与手段で前記補正マークが付与されたサムネイルを含むサムネイル一覧を出力することを特徴とする請求項１又は２に記載の画像出力装置。
【請求項４】
前記品質判断手段または前記品質再判断手段は、複数種類の品質の各々について、前記第１の基準または前記第２の基準を満たすか否かを判断することを特徴とする請求項１から３のいずれかに記載の画像出力装置。
【請求項５】
前記各画像について、一人以上の顔が含まれているか否かを検出する顔検出手段と、
その顔検出手段で顔が検出された場合に、その検出された顔が画像の外フレームから、はみ出しているか否かを判断するはみ出し判断手段を備え、
前記マーク付与手段は、前記はみ出し判断手段で前記検出された顔が前記外フレームからはみ出していると判断された場合に、その画像に対応するサムネイルに対し、顔が画像の外フレームからはみ出している旨を示すはみ出しマークを付与し、
前記出力手段は、そのマーク付与手段で前記はみ出しマークが付与されたサムネイルを含むサムネイル一覧を出力することを特徴とする請求項１から４のいずれかに記載の画像出力装置。
【請求項６】
前記はみ出し判断手段は、
前記顔検出手段で検出された顔の外郭に所定長さ以上の直線部分が含まれているか否かを判断する直線判断手段を備え、
その直線判断手段が直線部分が含まれていると判断した場合に、顔が前記外フレームからはみ出していると判断することを特徴とする請求項５に記載の画像出力装置。
【請求項７】
前記顔検出手段で顔が検出された場合に、その顔が画像全体を２等分した領域のうち、いずれの領域に片寄っているかを特定する特定手段を備え、
前記マーク付与手段は、前記特定手段で特定された領域とは異なる領域に前記不良マーク、前記補正マークまたは前記はみ出しマークを付与し、
前記出力手段は、そのマーク付与手段で前記不良マーク、前記補正マークまたは前記はみ出しマークが付与されたサムネイルを含むサムネイル一覧を出力することを特徴とする請求項５又は６に記載の画像出力装置。
【発明の詳細な説明】
【技術分野】
【０００１】
本発明は、画像出力装置に関するものである。
【背景技術】
【０００２】
従来より、デジタルカメラで撮像した画像データを記憶したメモリカードから画像データを読み込み、その画像データに対応する縮小画像であるサムネイル画像を一覧化したサムネイル一覧を表示、印刷等して出力する画像出力装置が知られている。この種の画像出力装置に関し、次の特許文献１には、補正された主画像に対応するサムネイル画像の下に、補正された内容を示す（補正されたことも示す）補正内容マーク８５を付加したサムネイル一覧を表示する画像出力装置１が記載されている。  
【特許文献１】特開２００１−３３３３７２号公報（段落第「０１００」、図９）
【発明の開示】
【発明が解決しようとする課題】
【０００３】
しかしながら、上述した特許文献１に記載されている画像出力装置１では、補正内容マーク８５によって、補正された内容（補正されたこと）を確認することはできるものの、その画像品質が良好か否かが分からないという問題点があった。即ち、補正をすることで、画像品質は元の状態よりは向上するものの、その補正後の画像品質が良好か否かは分からず、結局、使用者はサムネイル一覧の中から画像品質が良好な画像を選択し難かったという問題点があった。また、特に、サムネイル画像は元画像を縮小した画像であるので、そのサムネイル画像から画像品質の良否を判断するのが困難であるという問題点があった。
【０００４】
本発明は上述した問題点を解決するためになされたものであり、使用者にとって画像品質が良好な画像を選択し易いサムネイル一覧を出力することができる画像出力装置を提供することを目的としている。
【課題を解決するための手段】
【０００５】
この目的を達成するために、請求項１記載の画像出力装置は、各画像に対応したサムネイルを一覧化したサムネイル一覧を出力するものであって、前記各画像について、その画像品質が第１の基準を満たすか否かを判断する品質判断手段と、その品質判断手段が前記第１の基準を満たさないと判断した場合に、その画像に対応するサムネイルに対し、品質不良である旨を示す不良マークを付与するマーク付与手段と、そのマーク付与手段で前記不良マークが付与されたサムネイルを含むサムネイル一覧を出力する出力手段とを備えている。
【０００６】
請求項２記載の画像出力装置は、請求項１に記載の画像出力装置において、前記品質判断手段が前記第１の基準を満たさないと判断した場合に、その画像を補正する補正手段と、その補正手段で補正した画像について、その画像品質が第２の基準を満たすか否かを再判断する品質再判断手段とを備え、前記マーク付与手段は、前記品質再判断手段が前記第２の基準を満たさないと判断した場合に、前記補正手段で補正された画像に対応するサムネイルに対し、前記不良マークを付与する。
【０００７】
請求項３記載の画像出力装置は、請求項１又は２に記載の画像出力装置において、前記品質判断手段が前記第１の基準を満たさないと判断した場合に、その画像を補正する補正手段と、その補正手段で補正した画像について、その画像品質が第２の基準を満たすか否かを再判断する品質再判断手段とを備え、前記マーク付与手段は、前記品質再判断手段が前記第２の基準を満たすと判断した場合に、前記補正手段で補正された画像に対応するサムネイルに対し、補正済である旨を示す補正マークを付与し、前記出力手段は、そのマーク付与手段で前記補正マークが付与されたサムネイルを含むサムネイル一覧を出力する。
【０００８】
請求項４記載の画像出力装置は、請求項１から３のいずれかに記載の画像出力装置において、前記品質判断手段または前記品質再判断手段は、複数種類の品質の各々について、前記第１の基準または前記第２の基準を満たすか否かを判断する。
【０００９】
請求項５記載の画像出力装置は、請求項１から４のいずれかに記載の画像出力装置において、前記各画像について、一人以上の顔が含まれているか否かを検出する顔検出手段と、その顔検出手段で顔が検出された場合に、その検出された顔が画像の外フレームから、はみ出しているか否かを判断するはみ出し判断手段を備え、前記マーク付与手段は、前記はみ出し判断手段で前記検出された顔が前記外フレームからはみ出していると判断された場合に、その画像に対応するサムネイルに対し、顔が画像の外フレームからはみ出している旨を示すはみ出しマークを付与し、前記出力手段は、そのマーク付与手段で前記はみ出しマークが付与されたサムネイルを含むサムネイル一覧を出力する。
【００１０】
請求項６記載の画像出力装置は、請求項５に記載の画像出力装置において、前記はみ出し判断手段は、前記顔検出手段で検出された顔の外郭に所定長さ以上の直線部分が含まれているか否かを判断する直線判断手段を備え、その直線判断手段が直線部分が含まれていると判断した場合に、顔が前記外フレームからはみ出していると判断する。
【００１１】
請求項７記載の画像出力装置は、請求項５又は６に記載の画像出力装置において、前記顔検出手段で顔が検出された場合に、その顔が画像全体を２等分した領域のうち、いずれの領域に片寄っているかを特定する特定手段を備え、前記マーク付与手段は、前記特定手段で特定された領域とは異なる領域に前記不良マーク、前記補正マークまたは前記はみ出しマークを付与し、前記出力手段は、そのマーク付与手段で前記不良マーク、前記補正マークまたは前記はみ出しマークが付与されたサムネイルを含むサムネイル一覧を出力する。
【発明の効果】
【００１２】
請求項１記載の画像出力装置によれば、画像品質が品質判断手段によって第１の基準を満たさないと判断された場合、その画像に対応するサムネイルには、マーク付与手段によって品質不良である旨を示す不良マークが付与される。そして、その不良マークが付与されたサムネイルを含むサムネイル一覧が出力手段によって出力される。よって、使用者は、その不良マークを確認することで、サムネイル一覧の中から画像品質が良好な画像を簡単に選択することができるという効果がある。
【００１３】
請求項２記載の画像出力装置によれば、請求項１に記載の画像出力装置の奏する効果に加え、画像品質が品質判断手段によって第１の基準を満たさないと判断された場合には、その画像は補正手段によって補正される。そして、その補正された画像が品質再判断手段によって第２の基準を満たさないと判断された場合に、その補正された画像に対応するサムネイルにマーク付与手段によって不良マークが付与される。よって、サムネイル一覧の中から補正しても画像品質が不良である画像を簡単に把握することができる。従って、サムネイル一覧の中から画像品質が良好な画像（補正した結果、画像品質が良好な画像を含む）を簡単に選択することができるという効果がある。
【００１４】
請求項３記載の画像出力装置によれば、請求項１又は２に記載の画像出力装置の奏する効果に加え、画像品質が品質判断手段によって第１の基準を満たさないと判断された場合、その画像は補正手段によって補正される。そして、その補正された画像の画像品質が品質再判断手段によって第２の基準を満すと判断された場合に、その補正された画像に対応するサムネイルに対し、補正済である旨を示す補正マークがマーク付与手段によってを付与される。よって、サムネイル一覧の中から補正した結果、画像品質が良好な画像を簡単に把握することができるという効果がある。
【００１５】
請求項４記載の画像出力装置によれば、請求項１から３のいずれかに記載の画像出力装置の奏する効果に加え、品質判断手段または品質再判断手段は、複数種類の品質の各々について第１の基準または第２の基準を満たすか否かを判断するので、各種類の画像品質基準を満たした画像を簡単に選択することができるという効果がある。
【００１６】
請求項５記載の画像出力装置によれば、請求項１から４のいずれかに記載の画像出力装置の奏する効果に加え、顔検出手段で顔が検出された場合、その検出された顔が画像の外フレームから、はみ出しているか否かが、はみ出し判断手段によって判断される。そして、検出された顔が外フレームからはみ出していると判断された場合、その画像に対応するサムネイルには、マーク付与手段によって顔が画像の外フレームからはみ出している旨を示すはみ出しマークが付与される。そして、そのはみ出しマークが付与されたサムネイルを含むサムネイル一覧が出力手段によって出力される。よって、はみ出しマークの有無を確認することで、サムネイル一覧の中から画像品質が良好な画像を簡単に選択することができるという効果がある。
【００１７】
請求項６記載の画像出力装置によれば、請求項５に記載の画像出力装置の奏する効果に加え、顔が画像の外フレームからはみ出しているか否かは、顔検出手段で検出された顔の外郭に所定長さ以上の直線部分が含まれているか否かが直線判断手段によって判断され、直線部分が含まれていると判断された場合に、顔が前記外フレームからはみ出していると判断される。一般的に、人の顔の外郭には所定長さ以上の直線部分は存在せず、その顔の外郭に所定長さ以上の直線部分があれば、それは画像の外フレームであるとみなすことで、顔が画像の外フレームからはみ出しているか否かを簡単、確実に判断することができるという効果がある。
【００１８】
請求項７記載の画像出力装置によれば、請求項５又は６に記載の画像出力装置の奏する効果に加え、顔検出手段で顔が検出された場合、その顔が画像全体を２等分した領域のうち、いずれの領域に片寄っているかが特定手段によって特定される。そして、不良マーク、補正マーク、または、はみ出しマークは、特定手段で特定された領域とは異なる領域にマーク付与手段によって付与される。よって、不良マーク等のマークは、画像内の人の顔に対してバランス良く付与され、不良マーク等のマークおよび人の顔を視認し易くさせることができるという効果がある。
【発明を実施するための最良の形態】
【００１９】
以下、本発明の好ましい実施の形態について、添付図面を参照して説明する。図１は、本発明の実施形態である複合機１の外観構成を示す斜視図である。複合機１は、特に、ユーザにとって画像品質が良好な画像を選択し易いサムネイル一覧を出力することができる装置である。
【００２０】
複合機１は、下部に設けられたプリンタ部２と、上部に設けられたスキャナ部３と、スキャナ部３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能、プリンタ機能を備えている。
【００２１】
尚、その他にも、ＵＳＢメモリ、デジタルカメラ、パーソナルコンピュータ等の外部装置と接続され、その外部装置から受け取ったデータを記録用紙に記録したり、その外部装置から受け取ったデータを操作パネル４上の液晶ディスプレイ（ＬＣＤ：Ｌｉｑｕｉｄ  Ｃｒｙｓｔａｌ  Ｄｉｓｐｌａｙ）４１に表示する機能を備えている。
【００２２】
プリンタ部２には、正面に開口１１が形成されており、この開口１１から一部が露呈するようにして給紙トレイ２０及び排紙トレイ２１が上下２段に設けられている。給紙トレイ２０に積載された記録用紙は、プリンタ部２の内部へ給送され、画像が記録された後に排紙トレイ２１へ排出されるようになっている。
【００２３】
スキャナ部３は、いわゆるフラットベッドスキャナとして構成されている。原稿カバー３０は、複合機１の天板として設けられており、原稿カバー３０の下には、図示しないプラテンガラスが配置されている。原稿はプラテンガラス上に載置され、原稿カバー３０に覆われた状態でスキャナ部３に読み取られる。
【００２４】
操作パネル４は、プリンタ部２やスキャナ部３を操作するためのものであり、機能選択キー４０ａ、テンキー４０ｂ、方向キー４０ｃ、決定キー４０ｄ、ユーザＩＤ確認キー４０ｅ等の各種操作キー４０と、ＬＣＤ４１とが設けられている。
【００２５】
機能選択キー４０ａはスキャナ機能、コピー機能、ファクシミリ機能、プリンタ機能等の各機能の実行指示を入力するためのキーである。テンキー４０ｂはコピー枚数、ＦＡＸ番号等を入力するためのキーである。方向キー４０ｃはＬＣＤ４１に表示されるカーソル位置を入力するためのキーである。決定キー４０ｄは各種動作の実行指示を入力するためのキーである。ユーザＩＤ確認キー４０ｅは複合機１を使用する権限があるユーザかを確認するために各ユーザに割り当てられているユーザＩＤを確認する処理の実行指示を入力するためのキーである。
【００２６】
これらの各種操作キー４０を介して複合機１に所定の指令が入力されると、その入力された指令に応じて、複合機１の動作が制御部８０（図２参照）によって制御される。尚、複合機１は、各種操作キー４０から入力された指令のほか、コンピュータからプリンタドライバやスキャナドライバ等を介して送信される指令に基づいて動作するように構成されている。
【００２７】
ＬＣＤ４１は、矢印Ａ方向を横方向とした場合、その縦横比が３対８の矩形状に構成されている。より具体的には、縦横比が３対４である矩形状の２つのＬＣＤを矢印Ａ方向に隣設して構成されている。尚、図１では、この縮尺は無視して図示している。また、ＬＣＤ４１には、所謂タッチパネルが一体に設けられており、ＬＣＤ４１に表示される各種ボタンがユーザによって選択されると、その選択されたボタンに割り当てられている指示が入力される。
【００２８】
操作パネル４の下方であって開口１１の上方には、接続パネル７０が設けられている。接続パネル７０には、その左端側にＵＳＢ端子７１が配設されている。ＵＳＢ端子７１は、外部機器とＵＳＢ接続することにより外部機器と複合機１とを通信可能に接続するコネクタ端子である。
【００２９】
接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データを後述する制御部８０によって読み出し、その読み出した画像データをＬＣＤ４１に表示したり、記録用紙に記録することができる。
【００３０】
図２を参照して、複合機１の動作を制御する制御部８０の概略構成について説明する。図２は、複合機１の制御部８０の概略構成を示すブロック図である。制御部８０は、プリンタ部２、スキャナ部３及び操作パネル４を含む複合機１の動作を統括的に制御するものである。
【００３１】
制御部８０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００３２】
ＣＰＵ２１は、複合機１を総括的に制御する中央演算処理装置であり、ＲＯＭ２２に記憶されているプログラムに沿って動作する。ＲＯＭ２２には、複合機１の各種動作を制御するためのプログラムが格納されており、図４のフローチャートに示すサムネイル一覧印刷処理を実行させるためのプログラムとして、サムネイル一覧印刷プログラム２２ａが記憶されている。
【００３３】
このサムネイル一覧印刷処理は、メモリカードに記憶されている各画像データに対応した縮小画像（以下、「サムネイル」と称す）を一覧化したサムネイル一覧をプリンタ部２によって記録用紙に印刷する処理であって、特に、ユーザにとって画像品質が良好な画像を選択し易いサムネイル一覧を印刷することができる処理である。
【００３４】
ＲＡＭ２３は、ＣＰＵ２１が上記プログラムを実行する際に用いる各種データを一時的に記録する記憶領域又は作業領域として使用され、印刷データメモリ２３ａ、付与マークメモリ２３ｂが割り当てられている。
【００３５】
印刷データメモリ２３ａは、プリンタ部２によって記録用紙に印刷する印刷データを記憶するエリアであり、付与マークメモリ２３ｂは、各サムネイルに付与するマークに関する情報を記憶するエリアであり、図３（ａ）に示す付与マークテーブルが記憶されている。
【００３６】
図３（ａ）に示すように、付与マークテーブルには、左欄から順番に「Ｎｏ．」欄５０、「全体」欄５１、「赤目」欄５２、「はみ出し」欄５３、「付与位置」欄５４が設けられている。
【００３７】
「Ｎｏ．」欄５０には、各画像を識別するための識別番号が記憶されている。尚、本実施形態では、説明を容易にするために連続番号を図示しているが、この「Ｎｏ．」欄５０には、各画像に個別に付与されているファイル名、撮影時間、ファイル形式等を記憶するようにしても良い。
【００３８】
「全体」欄５１には、ピンぼけ、手ぶれ等の画像全体に関する画像品質の良否情報が記憶されている。具体的には、画像全体の画像品質が良好な場合には「０」、補正した結果良好な場合には「１」、補正しても不良な場合には「２」が記憶される。図３（ａ）では、「０」が記憶されているＮｏ．１，２，３，４の画像は良好、「１」が記憶されているＮｏ．６の画像は、補正した結果良好、「２」が記憶されているＮｏ．５の画像は不良であることを示している。
【００３９】
「赤目」欄５２には、画像内に人物の顔が含まれている場合に、その人物の瞳が赤目状態か否かを示す情報が記憶されている。具体的には、赤目状態でない又は人の瞳が含まれていない場合には「０」、補正した結果赤目状態でない場合には「１」、補正しても赤目状態である場合には「２」が記憶される。図３（ａ）では、「０」が記憶されているＮｏ．２，４，５，６の画像は赤目状態でないか又は人の瞳が含まれておらず、「１」が記憶されているＮｏ．１の画像は、補正した結果赤目状態でなく、「２」が記憶されているＮｏ．３の画像は赤目状態になっていることを示している。
【００４０】
「はみ出し」欄５３には、画像内に人物の顔が含まれている場合に、その人の顔が画像の外フレームからはみ出していないか否かの状態が記憶されている。具体的には、はみ出していない又は人の顔が含まれていない場合には「０」、はみ出している場合には「１」が記憶される。図３（ａ）では、「０」が記憶されているＮｏ．１，２，３，４，５の画像は、はみ出していない又は人の顔が含まれておらず、「１」が記憶されているＮｏ．６の画像が、はみ出していることを示している。
【００４１】
「付与位置」欄５４には、サムネイルに付与するマークの位置が記憶されている。このマークは、上述した「全体」欄５１、「赤目」欄５２、「はみ出し」欄５３に記憶されている情報を示すものであり、このマークは対応するサムネイルの右肩部または左肩部の各々に付与される。具体的には、サムネイルの左肩部にマークを付与する場合には「０」、右肩部にマークを付与する場合には「１」が記憶される。図３（ａ）では、「０」が記憶されているＮｏ．１，２，３，４，６の画像に対応するサムネイルには左肩部に、Ｎｏ．５の画像に対応するサムネイルには右肩部にマークが付与されることになる。
【００４２】
ここで、図３（ｂ）を参照して、サムネイルに付与するマークについて説明する。図３（ｂ）は、サムネイルに付与するマークを説明するための図である。まず、画像全体の画像品質に関し、良好な場合にはマークは付与されず、補正した結果良好になった場合には「ＺＣ」のマーク、不良の場合には「ＺＦ」のマークが付与される。また、赤目状態か否かについては、赤目状態でないか又は人の瞳が含まれていない場合にはマークは付与されず、補正した結果赤目状態でない場合には「ＲＣ」のマーク、赤目状態の場合には「ＲＦ」のマークが付与される。更に、人の顔が画像の外フレームからはみ出してないか否かについては、はみ出していない又は人の顔が含まれていない場合にはマークは付与されず、はみ出している場合に「Ｏ」のマークが付与される。
【００４３】
即ち、「ＺＣ」のマークは、画像全体の画像品質が補正した結果良好であること、「ＺＦ」のマークは、画像全体の画像品質が不良であること、「ＲＣ」のマークは、補正した結果赤目状態でないこと、「ＲＦ」のマークは、赤目状態になっていること、「Ｏ」のマークは、人の顔が画像の外フレームからはみ出していることを示している。
【００４４】
サムネイル一覧を印刷すると、これらのマークがサムネイル一覧に含まれている各サムネイルに対応付けて付与されるので、元画像のサイズを縮小したサムネイルであっても、ユーザは、このマークを手掛かりに、元画像の画像品質（画像全体の画像品質が良好か、赤目状態になっていないか、人の顔がはみ出していないか等）を簡単に把握することができる。従って、ユーザにとって画像品質が良好な画像を選択し易いサムネイル一覧を出力することができる。
【００４５】
ＡＳＩＣ２６は、ＣＰＵ２１からの指令に従い、プリンタ部２、スキャナ部３、操作パネル４、スロット部７２等などの動作制御を行なう。ＡＳＩＣ２６には、プリンタ部２、スキャナ部３、操作キー４０を制御するパネルゲートアレイ２７（パネルＧＡ２７）、ＬＣＤ４１の画面表示を制御するＬＣＤコントローラ２８、スロット部７２、コンピュータとパラレルケーブル又はＵＳＢケーブルを介してデータの送受信を行なうためのパラレルインタフェース２９、ＵＳＢ端子７１、スピーカ７４から出力する音声を増幅するアンプ７３が接続されている。また、ＡＳＩＣ２６には、ＮＣＵ（Ｎｅｔｗｏｒｋ  Ｃｏｎｔｒｏｌ  Ｕｎｉｔ）３１が接続され、そのＮＣＵにはモデム３２が接続されている。このＮＣＵ３１、モデム３２を介して複合機１はＦＡＸを送受信可能に構成されている。
【００４６】
次に、図４のフローチャートを参照して、サムネイル一覧印刷処理について説明する。このサムネイル一覧印刷処理は、特に、ユーザにとって画像品質が良好な画像を選択し易いサムネイル一覧を印刷することができる処理であり、画像データが記憶されているメモリカードがスロット部７２に装填されている状態で、所定の操作キー４０が押下されて実行指令が入力された場合に実行される。
【００４７】
よって、まず、サムネイル一覧印刷の実行指令が入力されたかを判断する（Ｓ４０１）。実行指令が入力されると（Ｓ４０１：Ｙｅｓ）、メモリカードに記憶されている画像データを読み込み、その読み込んだ各画像データに対応したサムネイルを作成する（Ｓ４０２）。また、サムネイル一覧印刷の実行指令が入力された場合には、付与マークテーブルを初期化（全てに「０」を記憶）する。尚、サムネイル一覧印刷の実行指令が入力されない場合には（Ｓ４０１：Ｎｏ）、本処理を終了する。
【００４８】
次に、画像品質を示すマークをサムネイルに付与する指示が入力されたかを判断し（Ｓ４０３）、かかる指示が入力されない場合には（Ｓ４０３：Ｎｏ）、Ｓ４１６にスキップし、Ｓ４０２で作成したサムネイルの一覧を印刷し（Ｓ４１６）、本処理を終了する。
【００４９】
一方、Ｓ４０３の処理において、画像品質を示すマークをサムネイルに付与する指示が入力された場合には（Ｓ４０３：Ｙｅｓ）、Ｓ４０２で作成した全てのサムネイルについてＳ４０４乃至Ｓ４１５の処理を実行する。まず、第１画像品質判断処理を実行する（Ｓ４０４）。ここで、この第１画像品質判断処理（Ｓ４０４）を図５のフローチャートを参照して説明する。
【００５０】
図５は、第１画像品質判断処理を示すフローチャートである。この第１画像品質判断処理は（Ｓ４０４）、ピンぼけ、手ぶれ等の画像全体に関する画像品質が基準を満たしているかを判断する処理である。
【００５１】
まず、対象となっている画像を解析する（Ｓ５０１）。画像の解析では、画像のエッジ抽出を行い、そのエッジ抽出後の画像から画像の明暗の分布を示すヒストグラムを算出する。尚、エッジ抽出方法、ヒストグラムの算出方法については、公知の様々な手法を用いることが可能である。そして、その算出したヒストグラムが基準を満たすかを判断する（Ｓ５０２）。その結果、基準を満たしていれば（Ｓ５０２：Ｙｅｓ）、画像全体の品質は良好であるとして本処理を終了する。即ち、付与マークテーブル（図３（ａ）参照）において、判断対象となっている画像の全体欄５１には「０」が記憶されているので、本処理を終了する。
【００５２】
一方、Ｓ５０２における判断の結果、基準を満たさないと判断した場合には（Ｓ５０２：Ｎｏ）、補正処理を行う（Ｓ５０４）。補正処理では、例えば、対象となっている画像を複数の領域に分割し、その分割した各領域毎にヒストグラムを算出し、基準を満たしていない領域を特定し、その領域について補正を行う。尚、この補正処理については公知の様々な手法を用いることが可能である。
【００５３】
そして、再び、補正後の画像を解析し（Ｓ５０５）、補正後の画像が基準を満たすか否かを判断する（Ｓ５０６）。その結果、補正後の画像が基準を満たすと判断した場合には（Ｓ５０６：Ｙｅｓ）、画像全体の画像品質は、補正した結果良好であることを記憶する（Ｓ５０７）。具体的には、付与マークテーブル（図３（ａ）参照）において、判断対象となっている画像の全体欄５１に「１」を記憶して、本処理を終了する。
【００５４】
一方、補正後の画像であっても基準を満たさないと判断した場合には（Ｓ５０６：Ｎｏ）、画像全体の画像品質は不良であることを記憶する（Ｓ５０８）。具体的には、付与マークテーブル（図３（ａ）参照）において、判断対象となっている画像の全体欄５１に「２」を記憶して、本処理を終了する。こうして、対象となっている画像の画像全体に関する画像品質の状態を判断することができる。
【００５５】
再び、図４のフローチャートに戻って説明を続ける。Ｓ４０４の処理において、第１画像品質判断処理が終了すると、次に、対象となっている画像に人の顔が含まれているかを検出する顔検出処理を行う（Ｓ４０５）。この顔検出処理は、例えば、エッジ検出や色相検出等によって人の顔が含まれているかを検出する。尚、この顔検出処理については公知の様々な手法を用いることが可能である。
【００５６】
そして、Ｓ４０５の顔検出の結果、人の顔が含まれているかを判断し（Ｓ４０６）、含まれていると判断した場合には（Ｓ４０６：Ｙｅｓ）、第２画像品質判断処理を行う（Ｓ４０７）。ここで、この第２画像品質判断処理（Ｓ４０７）を図６のフローチャートを参照して説明する。
【００５７】
図６は、第２画像品質判断処理を示すフローチャートである。この第２画像品質判断処理は（Ｓ４０７）、画像に含まれている人の瞳が赤目状態になっていないかを判断する処理である。まず、図４のＳ４０７で検出された顔から瞳を検出し（Ｓ６０１）、瞳が検出されたかを判断する（Ｓ６０２）。瞳が検出された場合（Ｓ６０２：Ｙｅｓ）、その瞳の色成分の色値を取得し、その取得した色成分の色値と、予め設定されている閾値とを比較して、瞳が赤目状態になっていないかを判断する（Ｓ６０３）。
【００５８】
その結果、赤目状態でないと判断した場合（Ｓ６０３：Ｎｏ）、および、上述したＳ６０２の処理で瞳が検出されなかった場合には（Ｓ６０２：Ｎｏ）、赤目状態になっていないとして、本処理を終了する。即ち、付与マークテーブル（図３（ａ）参照）において、判断対象となっている画像の赤目欄５２に「０」を記憶して、本処理を終了する。
【００５９】
一方、Ｓ６０３の処理において、赤目状態になっていると判断した場合には（Ｓ６０３：Ｙｅｓ）、Ｓ６０２で検出された瞳について補正処理を行う（Ｓ６０４）。例えば、検出された瞳の色成分の色変換を行う。尚、この補正処理については公知の様々な手法を用いることが可能である。そして、補正後の瞳の色成分を取得し、その瞳が赤目状態になっていないかを、その補正した瞳の色成分の色値と、予め設定されている閾値とを再び比較し、赤目状態になっていないかを判断する（Ｓ６０５）。
【００６０】
その結果、赤目状態でないと判断した場合には（Ｓ６０５：Ｎｏ）、補正した結果赤目状態でないことを記憶する（Ｓ６０６）。具体的には、付与マークテーブル（図３（ａ）参照）において、判断対象となっている画像の赤目欄５２に「１」を記憶して、本処理を終了する。
【００６１】
一方、補正してもなお、赤目状態であると判断した場合には（Ｓ６０５：Ｙｅｓ）、赤目状態であることを記憶する（Ｓ６０７）。具体的には、付与マークテーブル（図３（ａ）参照）において、判断対象となっている画像の赤目欄５２に「２」を記憶して、本処理を終了する。こうして、対象となっている画像に含まれている人の瞳が、赤目状態になっていないかを判断することができる。
【００６２】
再び、図４のフローチャートに戻って説明を続ける。Ｓ４０７の処理において、第２画像品質判断処理が終了すると、図８（ａ）に示すように、画像に含まれている人の顔Ｋが画像Ｇの外フレームＦからはみ出していないかを判断する。具体的には、Ｓ４０６で検出された人の顔に座標を割り付け（Ｓ４０８）、その顔の輪郭に直線部分Ｔが存在しているかを判断する（Ｓ４０９）。
【００６３】
即ち、図８（ａ）に示すように、画像Ｇに含まれている顔Ｋが画像Ｇの外フレームＦからはみ出している場合には、一般的に、人の顔の輪郭には存在し得ない所定の長さ以上の直線部分Ｔが存在しているので、その直線部分Ｔが存在している場合には、画像Ｇに含まれている顔Ｋが画像Ｇの外フレームＦからはみ出していると判断するのである。
【００６４】
こうして、直線部分が存在していると判断した場合には（Ｓ４０９：Ｙｅｓ）、顔が画像の外フレームからはみ出していることを記憶する（Ｓ４１０）。具体的には、付与マークテーブル（図３（ａ）参照）において、判断対象となっている画像のはみ出し欄５３に「１」を記憶する。尚、Ｓ４０９の判断で直線部分が存在しないと判断した場合には（Ｓ４０９：Ｎｏ）、Ｓ４１０の処理をスキップして、Ｓ４１１の処理に移行する。即ち、付与マークテーブル（図３（ａ）参照）において、判断対象となっている画像のはみ出し欄５３には「０」が記憶されているので、Ｓ４１０の処理をスキップして、Ｓ４１１の処理に移行する。
【００６５】
次に、画像内における顔の片寄りを検出する（Ｓ４１１）。具体的には、図７（ｂ）に示すように、Ｓ４０９で顔に割り付けた座標の中から、最右端の座標と、最上端の座標とからなる位置を基準座標Ａとして、その基準座標Ａの位置が画像を左右に２等分した右領域Ｒと左領域Ｌのうち、いずれの領域Ｒ．Ｌに含まれているか（複数の顔が存在する場合には、いずれの領域に基準座標Ａが多く含まれているか）を検出する。
【００６６】
そして、顔が左領域に片寄っているかを判断し（Ｓ４１２）、例えば、図７（ｂ）に示すように、左領域Ｌに片寄っている場合には（Ｓ４１２：Ｙｅｓ）、マーク付与位置を右肩部に設定する（Ｓ４１３）。具体的には、付与マークテーブル（図３（ａ）参照）において、判断対象となっている画像の「付与位置」欄５４に「１」を記憶する（Ｓ４１３）。
【００６７】
一方、顔が左領域に片寄っていない場合には（Ｓ４１２：Ｎｏ）、Ｓ４１３の処理をスキップして、Ｓ４１４に移行する。即ち、付与マークテーブル（図３（ａ）参照）において、判断対象となっている画像の「付与位置」欄５４には「０」が記憶されているので、Ｓ４１３の処理をスキップして、Ｓ４１４の処理に移行する。
【００６８】
こうして、Ｓ４０４乃至Ｓ４１３までの処理が終了すると、Ｓ４１４の処理において、対象となっている画像のサムネイルに、付与マークテーブル（図３（ａ）参照）に従ったマークを合成する（Ｓ４１４）。尚、Ｓ４０６の処理で人の顔が検出されなかった場合には（Ｓ４０６：Ｎｏ）、Ｓ４０７乃至Ｓ４１３の処理はスキップして、このＳ４１４の処理に移行する。
【００６９】
そして、メモリカードに記憶されている画像の全部についてＳ４０４乃至Ｓ４１４の処理が終了したかを判断し（Ｓ４１５）、終了していなければ（Ｓ４１５：Ｎｏ）、Ｓ４０４からの処理を繰り返し、終了していれば（Ｓ４１５：Ｙｅｓ）、サムネイル一覧を印刷し（Ｓ４１６）、本処理を終了する。
【００７０】
こうして、サムネイル一覧印刷処理が終了すると、図８（ａ）に示すサムネイル一覧が印刷された記録用紙Ｐが複合機１から排出される。図８（ａ）は、サムネイル一覧が印刷された記録用紙Ｐを示す図である。
【００７１】
よって、ユーザは、このサムネイル一覧を見れば、最上段最左端のサムネイル（Ｎｏ．１）にはマーク「ＲＣ」が付与されているので赤目補正をした結果赤目状態でない画像、その右隣のサムネイル（Ｎｏ．２）は何らマークが付与されていないので画像品質が良好な画像、その右隣のサムネイル（Ｎｏ．３）はマーク「ＲＦ」が付与されているので赤目状態の画像、その右隣のサムネイル（Ｎｏ．４）は何らマークが付与されていないので画像品質が良好な画像であると判断することができる。
【００７２】
また、２段目最左端のサムネイル（Ｎｏ．５）はマーク「ＺＦ」が付与されているのでピンぼけ、手ぶれ等画像全体の画像品質が不良な画像であることが分かる。また、このサムネイル（Ｎｏ．５）のように、人の顔が左領域に片寄っている場合には、付与されるマーク「ＺＦ」は左肩部でなく、右肩部に付与されるので、「ＺＦ」のマークを、画像内の人の顔に対してバランス良く付与することができ、「ＺＦ」のマークおよび人の顔を視認し易くさせることができる。
【００７３】
また、その右隣のサムネイル（Ｎｏ．６）はマーク「ＺＣ」、マーク「Ｏ」とが並んで付与されているので、補正した結果、画像全体の画像品質が良好になった画像であるが、人がはみ出した画像であることが分かる。
【００７４】
このように、サムネイル一覧には、各サムネイルに対応した画像の画像品質を示すマークが各サムネイル内に付与されるので、元画像のサイズを縮小したサムネイルであっても、ユーザは、このマークを手掛かりに、元画像の画像品質（画像全体の画像品質が良好か、赤目状態になっていないか、人の顔がはみ出していないか等）を簡単に把握することができる。従って、ユーザにとって画像品質が良好な画像を選択し易いサムネイル一覧を出力することができる。
【００７５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００７６】
本実施形態では、図８（ａ）に示すように、マークをサムネイル内に合成して記録用紙Ｐに出力する場合について説明したが、図８（ｂ）に示すように、サムネイル内に合成することなく、各サムネイルの下のインデックス表示にマークを含めて出力するように構成しても良い。
【００７７】
また、本実施形態では、各画像品質の種類に応じて、各種類毎にマークを付与する場合について説明したが、いずれか一種類以上の画像品質が不良であった場合には、不良であることを示すマークを一つ付与するように構成しても良い。また、判断する画像品質の種類をユーザが任意設定できるように構成し、その設定された画像品質に関してだけ、画像品質を判断し、それに応じたマークを付与するように構成しても良い。
【００７８】
また、本実施形態では、ピンぼけ、手ぶれ等の画像全体の画像品質が良好か否か、赤目状態か否か、人の顔が画像の外フレームからはみ出していないかを判断する場合について説明したが、画像品質を判断する種類については、これに限定されるものでなく、例えば、画像内の人が、笑っているか否か、基準を満たす肌色か否か等を画像品質の種類として、これらの各種類について、マークを付与するように構成しても良い。
【００７９】
また、本実施形態では、マークを付与する位置を、サムネイルの左肩部、または、右肩部に設定する場合について説明したが、例えば、赤目状態であると判断した場合には「ＲＦ」マークを、その赤目状態である顔の上に付与するように構成しても良い。
【図面の簡単な説明】
【００８０】
【図１】複合機の外観構成を示す斜視図である。
【図２】複合機の制御部の概略構成を示すブロック図である。
【図３】（ａ）は付与マークテーブルを示す図であり、（ｂ）は付与されるマークを説明するため表を示す図である。
【図４】サムネイル一覧印刷処理を示すフローチャートである。
【図５】第１画像品質判断処理を示すフローチャートである。
【図６】第２画像品質判断処理を示すフローチャートである。
【図７】（ａ）は、人が画像の外フレームからはみ出した画像を示す図であり、（ｂ）は、人が左側に片寄った画像を示す図である。
【図８】（ａ）は、マークが付与されたサムネイル一覧が印刷された記録用紙を示す図である。（ｂ）は、図８（ａ）とは別の位置に、マークが付与されたサムネイル一覧が印刷された記録用紙を示す図である。
【符号の説明】
【００８１】
１        複合機（画像出力装置）
Ｓ４０４，Ｓ４０７  品質判断手段
Ｓ４１４            マーク付与手段
Ｓ４１６            出力手段
Ｓ４０８，Ｓ４０９  はみ出し判断手段
Ｓ４０９            直線判断手段
Ｓ４０５            顔検出手段
Ｓ４１１，Ｓ４１２  特定手段
Ｓ５０６，Ｓ６０５  品質再判断手段
Ｓ５０４，Ｓ６０４  補正手段
ＺＦ，ＲＦ          不良マーク
ＺＣ，ＲＣ          補正マーク
Ｏ                  はみ出しマーク
【図１】
2009246545.tif 000003
【図２】
2009246545.tif 000004
【図３】
2009246545.tif 000005
【図４】
2009246545.tif 000006
【図５】
2009246545.tif 000007
【図６】
2009246545.tif 000008
【図７】
2009246545.tif 000009
【図８】
2009246545.tif 000010